(57)【要約】【課題】シートを提供する。【解決手段】本発明は、下台座１、上台座２、少なくとも１つの弾性部材３を含み、下台座１は硬質の材料で製造され、底板を備えており、底板の前側及び後側にはそれぞれ前側上凸縁１２及び後側上凸縁１３が上向きに設けられ、また底板には少なくとも１つの前接合部、少なくとも１つの後接合部が設けられ、また上台座２は頂板２１を備え、頂板２１の前側及び後側には前側上凸縁１２及び後側上凸縁１３に対応する位置にそれぞれ前側下凸縁２２、後側下凸縁２３が下向きに設けられ、また上台座２及び下台座１は突き合わせて組み合わされ、且つ組み合わされた後の左右両側には地面に対して水平方向の透過スペース２５を有し、また弾性部材３は長さが上台座２の前後の長さよりも小さな上支持部３１を備え、上支持部３１の前後方向には前湾曲部及び後湾曲部が下向きに設けられる。【選択図】図３
2020141898.tif 000002
【特許請求の範囲】
【請求項１】
下台座と、上台座と、弾性部材と、を含むことを特徴とするシートであって、
前記下台座は、硬質の材料で製造され、底板を備えており、前記底板の前側及び後側にはそれぞれ前側上凸縁及び後側上凸縁が上向きに設けられ、また前記底板には少なくとも１つの前接合部と、少なくとも１つの後接合部が設けられ、
前記上台座は、前記下台座よりも柔軟な材料で製造され、且つ押圧及び変形回復動作が可能であり、また頂板を備え、前記頂板の前側及び後側には前記前側上凸縁及び前記後側上凸縁に対応する位置にそれぞれ前記前側上凸縁及び後側下凸縁が下向きに設けられ、また前記上台座及び前記下台座の前側下凸縁及び前記前側上凸縁、ならびに前記後側下凸縁及び前記後側上凸縁は突き合わせて組み合わされ、且つ組み合わされた後の左右両側には地面に対して水平方向の透過スペースを有し、
前記弾性部材は、長さが前記上台座の前後の長さよりも小さな上支持部を備え、前記上支持部の前後方向には前湾曲部及び後湾曲部が下向きに設けられ、前記前湾曲部及び前記後湾曲部の底部にはそれぞれ前記下台座の前記前接合部及び前記後接合部と組み合わせることができる前端部及び後端部が湾曲されて設けられており、且つ前記弾性部材が前記下台座に組み合わせて設置される時、前記前湾曲部及び前記後湾曲部はそれぞれ前記前側上凸縁及び前記後側上凸縁との間での前記弾性部材の圧縮変形に供することができる前スペース及び後スペースを有することを特徴とするシート。
【請求項２】
前記前側上凸縁及び前記後側上凸縁、及び、前記前側下凸縁及び前記後側下凸縁にはそれぞれ、接合部材を組み合わせることができる複数の接合孔が設けられていることを特徴とする請求項１に記載のシート。
【請求項３】
前記下台座の前記前接合部及び前記後接合部はそれぞれ、前記弾性部材の前記前端部及び前記後端部と接合することができる前接合溝及び後接合溝を備えていることを特徴とする請求項１に記載のシート。
【請求項４】
前記上台座の前記頂板の下方には、前記下台座の前記前接合部及び前記後接合部に対応する位置に少なくとも１つのストッパー部が下向きに設けられ、前記ストッパー部には前方向及び後方向にそれぞれストッパー片が設けられ、各前記ストッパー片の間にはスペース部が設けられ、また各前記ストッパー片には前記頂板の圧縮に供する凹溝が設けられていることを特徴とする請求項１に記載のシート。
【請求項５】
前記頂板には複数の通気孔が設けられていることを特徴とする請求項１に記載のシート。
【請求項６】
前記弾性部材は金属材料で製造されることを特徴とする請求項１に記載のシート。
【請求項７】
前記弾性部材はワイヤを連続して湾曲させたストリップ状の形態であることを特徴とする請求項１に記載のシート。
【発明の詳細な説明】
【技術分野】
【０００１】
本発明はシートに関し、主に快適性を向上させることができるシートに関するものである。
【背景技術】
【０００２】
周知のシートは、座り心地及び支持性を向上させるため、一般的に下方に硬質のボードが設置され、且つボードの上方には軟質のフォームが設置されており、フォームの表面は皮又は布で作られた外層で覆われており、着座時にはフォームが圧縮されることで柔らかな座り心地を向上することができ、且つ硬質ボードが着座重量を支持することができる。
しかし、上述のフォームは、着座重量で圧縮された後に回復する弾性力が小さく、且つフォームの厚みが不足している場合、シートの圧縮による変形量が小さいために快適性が低減してしまうという欠点があった。
【０００３】
現在では、改良の結果、シートに環状の硬質フレーム上に設けたネット体が備えられ、そのネット体の位置を着座に供することができ、且つネット体によりシートに良好な通気性と快適性を備えさせることを可能にしている。
しかし、ネット体の弾性が芳しくない上に強度が低いため、一定期間着座するとネット体がゆるんで変形が生じ易いという欠点があった。
周知のシートに関しては、例えば特許文献１に記載されている。
【先行技術文献】
【特許文献】
【０００４】
【特許文献１】特開第２０１２−１１５３８２号公報
【発明の概要】
【発明が解決しようとする課題】
【０００５】
本発明は、座り心地が良好な弾性シートを提供することを目的としている。
【０００６】
本発明は、下台座、上台座、少なくとも１つの弾性部材を含む。
下台座は硬質の材料で製造され、底板を備えており、底板の前後側にはそれぞれ前側上凸縁及び後側上凸縁が上向きに設けられ、また底板には少なくとも１つの前接合部、少なくとも１つの後接合部が設けられる。
また上台座は下台座よりも柔軟な材料で製造され、且つ上台座は押圧及び変形回復動作が可能であり、また頂板を備え、頂板の前側及び後側には前側上凸縁及び後側上凸縁に対応する位置にそれぞれ前側下凸縁及び後側下凸縁が下向きに設けられ、また上台座及び下台座の前側下凸縁及び前側上凸縁、及び、後側下凸縁及び後側上凸縁は突き合わせて組み合わされ、且つ組み合わせた後の左右両側には地面に対して水平方向の透過スペースを有する。
また弾性部材は長さが上台座の前後の長さよりも小さな上支持部を備え、上支持部の前後方向には前湾曲部及び後湾曲部が下向きに設けられ、前湾曲部及び後湾曲部の底部にはそれぞれ下台座の前接合部及び後接合部と組み合わせることができる前端部及び後端部が湾曲されて設けられており、且つ弾性部材を下台座に組み合わせて設置する時、前湾曲部及び後湾曲部はそれぞれ前上凸縁及び後上凸縁との間で弾性部材の圧縮変形に供することができる前スペース及び後スペースを有する。
【０００７】
さらに、前側上凸縁及び後側上凸縁及び前側下凸縁及び後側下凸縁にはそれぞれ、接合部材により組み合わせることができる複数の接合孔が設けられている。
【０００８】
さらに、下台座の前接合部及び後接合部はそれぞれ、弾性部材の前端部及び後端部と接合することができる前接合溝及び後接合溝を備えている。
【０００９】
さらに、上台座の頂板の下方には、下台座の前接合部及び後接合部に対応する位置に少なくとも１つのストッパー部が下向きに設けられ、ストッパー部には前方向及び後方向のストッパー片がそれぞれ設けられ、各ストッパー片の間にはスペース部が設けられ、またストッパー片には頂板の圧縮に供する凹溝が設けられている。
【発明の効果】
【００１０】
本発明に着座する際には、上台座の頂板における着座の重量で頂板を下に凹ませることができ、且つ頂板の底面が弾性部材の上支持部を圧縮させ、且つ弾性部材が荷重を受けて圧縮することができる。
上台座及び下台座の両側の透過スペースは頂板の押圧変形に対して大きな空間を提供することができ、且つ前湾曲部及び後湾曲部はそれぞれ前・後方向に向かって突出変形させることができる。
前スペース及び後スペースは十分な変形用の空間を提供することができ、使用者が立ち上がる際には、上台座の頂板自体の可撓性の回復力と弾性部材の弾性力とが組み合わされて未圧縮の状態に素早く回復することができ、次回の着座時にも良好に圧縮可能な快適性を提供することができる。
【図面の簡単な説明】
【００１１】
【図１】本発明の分解斜視図である。
【図２】本発明の部分組立斜視図である。
【図３】本発明の組立斜視図である。
【図４】本発明の組立断面図である。
【図５】本発明の着座概略断面図である。
【発明を実施するための形態】
【００１２】
（実施例）
図１〜４を参照する。本発明は、下台座１、上台座２、２つの弾性部材３を含む。
下台座１は硬質の材料で製造され、底板１１を備えており、底板１１の前後側にはそれぞれ前・後側上凸縁１２、１３が上向きに設けられ、前・後側上凸縁１２、１３にはそれぞれ複数の接合孔１２１、１３１が設けられている。
また底板１１には左右に並列させた２つの前接合部１４、左右に並列させた２つの後接合部１５が設けられ、前・後接合部１４、１５はそれぞれ前接合溝１４１、後接合溝１５１を備えている。
【００１３】
上台座２は下台座１よりも柔軟な材料で製造され、且つ上台座２は押圧及び変形回復の動作が可能であり、また頂板２１を備え、頂板２１の前後側には前・後側上凸縁１２、１３に対応する位置に前側下凸縁２２、後側下凸縁２３が下向きに設けられ、前・後側下凸縁２２、２３にはそれぞれ複数の接合孔２２１、２３１が設けられ、且つ上台座２の前・後側下凸縁２２、２３はそれぞれ下台座１の前・後側上凸縁１２、１３の上方の位置に置かれ、次に下台座１と上台座２の接合孔１２１、２２１及び接合孔１３１、２３１に接合部材２４が挿通されて固定接続され、且つ組み合わせた後の上・下台座２、１の左右両側には地面に対して水平方向の透過スペース２５（図３が示す通り）を有する。
また頂板２１の下方には、下台座１の両側の前・後接合部１４、１５に対応する位置に２つのストッパー部２６が下向きに設けられ、ストッパー部２６には前後方向の２つのストッパー片２６１が設けられ、２つのストッパー片２６１の間はスペース部２６２を有し、またストッパー片２６１には頂板２１の圧縮の用に供する凹溝２６３が設けられ、また頂板２１には複数の通気孔２１１が設けられている。
【００１４】
２つの弾性部材３は金属材質で製造することができ、且つワイヤを連続して湾曲させたストリップ状の形態であり、長さが上台座２の前後の長さよりも小さく且つ２つのストッパー部２６の間のスペース部２６２の位置のそれぞれに設けられる上支持部３１を備え、上支持部３１の前後方向のそれぞれには前・後湾曲部３２、３３が下向きに設けられる。
前・後湾曲部３２、３３の底部にはそれぞれ下台座１の前・後接合部１４、１５と組み合わせることができる前・後端部３４、３５が中央向きに湾曲させて設けられ、且つ弾性部材３を下台座１に組み合わせて設置する時、図４が示す通り、前・後湾曲部３２、３３はそれぞれ前・後上凸縁１２、１３との間で弾性部材３の圧縮変形に供することができる前・後スペース３６、３７を有する。
【００１５】
図４、図５を参照する。本発明に着座する際には、上台座２の頂板２１における着座の重量で頂板２１を下に凹ませることができ、且つ頂板２１の底面が弾性部材３の上支持部３１を圧縮させ、且つ弾性部材３が荷重を受けて圧縮することで弾性支持の快適性を提供することができる。
上・下台座２、１の両側の透過スペース２５は頂板２１の押圧変形に大きな空間を提供することができ、且つ前・後湾曲部３２、３３はそれぞれ前後方向に向かって突出変形させることができ、前・後スペース３６、３７は弾性部材３に変形用空間を提供することができる。
これにより、頂板２１の通気孔２１１は良好な通気の快適性を提供することができ、使用者が立ち上がる際には、上台座２の頂板２１自体の可撓性の回復力と弾性部材３の弾性力とが組み合わされて、図４が示す通り未圧縮の状態に素早く回復することができ、次回の着座時にも良好に圧縮可能な快適性を備えさせることができる。
また本発明は金属の弾性部材３を採用しており、良好な弾性及び使用寿命を備えることができる。
【００１６】
本発明は、弾性部材３が圧縮された時、ストッパー部２６のストッパー片２６１が弾性部材３の上支持部３１の側方に当接することで、弾性部材３の圧縮動作に良好な安定性を提供することができ、且つ各ストッパー片２６１が凹溝２６３を備えた設計は頂板２１に一層スムーズな圧縮動作を提供することができる。
また本発明の上・下台座２、１の両側に透過スペース２５を備えた設計は頂板２１に周知のシートよりもさらに大きな圧縮距離を持たせることで、座り心地をより良好に向上させる弾性圧縮効果を提供することができる。
【００１７】
以上をまとめると、本発明は良好な支持弾性及び快適性の効果を具備することができるが、上述の実施例は本発明を例示するものであり、決して本発明を限定するものではなく、本発明の精神に基づく同等の効果が得られる改変はすべて本発明の範囲に属する。
【００１８】
具体的な実施例により詳細な説明を行ったが、本発明の技術範囲を逸脱せずに多くの修正及び変更を行うことが可能であり、本発明の範囲は特許請求の範囲によって定められる。
【符号の説明】
【００１９】
１      下台座
１１    底板
１２    前側上凸縁
１２１  接合孔
１３    後側上凸縁
１３１  接合孔
１４    前接合部
１４１  前接合溝
１５    後接合部
１５１  後接合溝
２      上台座
２１    頂板
２１１  通気孔
２２    前側下凸縁
２２１  接続孔
２３    後側下凸縁
２３１  接合孔
２４    接合部材
２５    透過スペース
２６    ストッパー部
２６１  ストッパー片
２６２  スペース部
２６３  凹溝
３      弾性部材
３１    上支持部
３２    前湾曲部
３３    後湾曲部
３４    前端部
３５    後端部
３６    前スペース
３７    後スペース
【図１】
2020141898.tif 000003
【図２】
2020141898.tif 000004
【図３】
2020141898.tif 000005
【図４】
2020141898.tif 000006
【図５】
2020141898.tif 000007